(57)【要約】本発明の照明装置１２は、複数の点状光源３２と導電パターン３４と、を備え、前記点状光源３２は、それぞれ極性が異なる２つの電極３３ａ，３３ｂを有するとともに、所定数ごとに区分されて複数の光源アレイ４０を構成し、当該光源アレイ４０ごとに駆動電力が供給されるものである。さらに、隣り合う前記光源アレイ４０，４０は、互いに対向する位置で、それぞれの前記光源アレイ４０，４０の前記点状光源３２，３２がそれぞれ一方の前記電極３３ａ，３３ａを対向させ、当該電極３３ａ，３３ａ同士が、同一極性であるとともに同一の前記導電パターン３４に接続されていることを特徴とする。
2010013544.tif 000002
【特許請求の範囲】
【請求項１】
複数の点状光源と、当該点状光源と電気的に接続される導電パターンと、を備え、
前記点状光源は、それぞれ極性が異なる２つの電極を有するとともに、所定数ごとに区分されて複数の光源アレイを構成し、当該光源アレイごとに駆動電力が供給されるものであり、
隣り合う前記光源アレイは、互いに対向する位置において、一方の前記光源アレイに属する前記点状光源と、他方の前記光源アレイに属する前記点状光源とがそれぞれ一方の前記電極を対向させた形で配置されており、当該電極同士が、同一極性となるよう配置されるとともに同一の前記導電パターンに接続された構成を有していることを特徴とする照明装置。
【請求項２】
前記光源アレイは、複数の前記点状光源が並列に接続された光源ユニットを有し、当該光源ユニット同士が直列に接続された構成であることを特徴とする請求の範囲第１項に記載の照明装置。
【請求項３】
前記光源ユニットは、２つの前記点状光源からなり、
隣り合う前記光源アレイのうち互いに対向しない側に配される前記光源ユニットにおいて、２つの前記点状光源が一方の前記電極を対向させた形で配置されており、当該電極が同一極性とされるとともに、同一の前記導電パターンに接続されていることを特徴とする請求の範囲第２項に記載の照明装置。
【請求項４】
前記光源アレイは、直線上に配列された所定数の前記点状光源からなり、
隣り合う前記光源アレイは、前記点状光源の配列方向を一致させる形で一列に配列していることを特徴とする請求の範囲第１項から請求の範囲第３項のいずれか１項に記載の照明装置。
【請求項５】
前記点状光源を収容するシャーシを備え、
前記点状光源が前記シャーシの縁部に配されてなるエッジライト方式を採用していることを特徴とする請求の範囲第１項から請求の範囲第４項のいずれか１項に記載の照明装置。
【請求項６】
請求の範囲第１項から請求の範囲第５項のいずれか１項に記載の照明装置と、当該照明装置の表側に配される表示パネルとからなる表示装置。
【請求項７】
前記表示パネルは、一対の基板間に液晶を封入してなる液晶パネルとされる請求の範囲第６項に記載の表示装置。
【請求項８】
請求の範囲第６項又は請求の範囲第７項に記載された表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いられる液晶パネルは自発光しないため、当該液晶パネルに照明光を供給する外部光源として、バックライト装置が必要とされる。このバックライト装置については、光源として多数のＬＥＤ（Light Emitting Diode）を配置して、当該ＬＥＤを直列に接続した構成が知られている（例えば特許文献１参照）。
【特許文献１】特開２００７−３０５９２９公報
【０００３】
（発明が解決しようとする課題）
上記特許文献１のように、多数のＬＥＤを直列に接続する場合には、接続数の増大に伴い、ＬＥＤごとの発光量のばらつきも増大してしまう。そこで、発光量のばらつきを抑制するため、直列に接続された所定数のＬＥＤ群からなる光源アレイを複数配置し、当該光源アレイごとに駆動電力を供給する構成とすることが望ましい。この場合、光源アレイの一方の端部に電力供給用の導通線を接続し、他方の端部に接地用の導通線を接続することとなる。したがって、導通線の数が多く、また電気的構成が複雑になってしまう。【０００４】
さらに、かかる光源アレイが、互いの一方の端部を対向させた形で複数配置される場合には、隣り合う光源アレイ同士の間に、電力供給用の導通線や接地用の導通線が２本設置されることとなる。この場合、安全性の観点から、２本の導通線は所定の間隔を空けて設置する必要があるため、隣り合う光源アレイ同士の間にも隙間を設ける必要が生じる。したがって、導通線が設置される部分では、ＬＥＤの配置に疎の部分が形成され、ＬＥＤが均等に配置されないこととなる。このようにＬＥＤが不均等に配置されると、当該バックライト装置の照明輝度分布が不均一となってしまうおそれがある。
【発明の開示】
【０００５】
本発明は、上記のような事情に基づいてなされたものであって、光源を均等かつ密に配置することで、照明輝度を大きくしつつ照明輝度分布を均一化することが可能な照明装置を提供することを目的としている。また、そのような照明装置を備えた表示装置、さらに、そのような表示装置を備えたテレビ受信装置を提供することを目的とする。
【０００６】
（課題を解決するための手段）
上記課題を解決するために、本発明の照明装置は、複数の点状光源と、当該点状光源と電気的に接続される導電パターンと、を備え、前記点状光源は、それぞれ極性が異なる２つの電極を有するとともに、所定数ごとに区分されて複数の光源アレイを構成し、当該光源アレイごとに駆動電力が供給されるものであり、隣り合う前記光源アレイは、互いに対向する位置において、一方の前記光源アレイに属する前記点状光源と、他方の前記光源アレイに属する前記点状光源とがそれぞれ一方の前記電極を対向させた形で配置されており、当該電極同士が、同一極性となるよう配置されるとともに同一の前記導電パターンに接続された構成を有していることを特徴とする。
【０００７】
このような構成によれば、点状光源を駆動するために例えば電源部等から延びる電力供給用の導通線を接続する場合、導電パターンに１本の導通線を接続することにより、当該導電パターンに接続された電極を通じて、１本の導通線から隣り合う２つの光源アレイに駆動電力を供給することができる。したがって、光源アレイごとに導通線を接続する必要がなく、導通線の数を低減することが可能となる。
【０００８】
さらに、例えば隣り合う光源アレイの対向する位置において、それぞれの光源アレイに対して電力供給用の導通線を別個に接続する場合には、安全性の観点から、導通線同士の間に所定の間隔を空ける必要がある。これに伴い、隣り合う光源アレイの間にも隙間を設ける必要が生じる。その結果、隣り合う光源アレイの境界においてＬＥＤ同士が離間することとなり、照明輝度のムラに繋がる場合がある。しかしながら、本発明によれば、隣り合う光源アレイに１本の導通線から駆動電力を供給することができる。したがって、隣り合う光源アレイの間に隙間を設ける必要がなく、ＬＥＤを均等かつ密に配置することが可能となる。これにより、当該照明装置の照明輝度を大きくし、さらには照明輝度分布を均一にすることが可能となる。
【０００９】
また、本発明の照明装置において、前記光源アレイは、複数の前記点状光源が並列に接続された光源ユニットを有し、当該光源ユニット同士が直列に接続された構成とすることができる。
【００１０】
このように、点状光源が並列に接続された光源ユニットを設けることにより、点状光源を直列に接続した場合に比べて、点状光源の発光量のばらつきを大きくすることなく、光源アレイ内に、より多くの点状光源を配置することができる。光源ユニットにおいては、並列に接続された各点状光源の抵抗値に応じてそれぞれの点状光源に流れる電流が調整されるため、点状光源の消費電力（発光量）のばらつきが生じ難い。したがって、点状光源の発光量のばらつきを考慮する際には、それぞれの光源ユニットを１つの擬似的な点状光源とみなすことができる。つまり、所定数の点状光源を直列に接続した場合と、これと同数の光源ユニット（擬似的な点状光源）を直列に接続した場合とで、発光量のばらつきがほぼ同一となる。言い換えれば、所定数の点状光源を直列に接続した場合とほぼ同一の発光量のばらつきで、より多くの点状光源を接続することができることとなり、当該点状光源を密に配置することが可能となる。また、光源アレイ内のすべての点状光源を並列に接続するのではなく、光源ユニット同士を直列に接続することにより、当該照明装置の照明輝度の低下を抑制することが可能となる。
【００１１】
また、前記光源ユニットは、２つの前記点状光源からなり、隣り合う前記光源アレイのうち互いに対向しない側に配される前記光源ユニットにおいて、２つの前記点状光源が一方の前記電極を対向させた形で配置されており、当該電極が同一極性とされるとともに、同一の前記導電パターンに接続されているものとすることができる。
【００１２】
このような構成によれば、２つの点状光源の対向する電極が接続された導電パターンに、例えば接地用の導通線を接続することができる。これにより、導通線を光源アレイの端部に配される２つの点状光源の間に配することができる。すなわち、当該導通線は、光源アレイの最も外側に配されるのではなく、１つの点状光源を介した内側に配される。したがって、例えば隣り合う光源アレイが繰り返し配置される場合にも、光源アレイ同士の間に隙間を設けずとも、導通線同士の間に所定の間隔が形成されることとなる。その結果、点状光源を均等かつ密に配置することが可能となる。
【００１３】
また、前記光源アレイは、直線上に配列された所定数の前記点状光源からなり、隣り合う前記光源アレイは、前記点状光源の配列方向を一致させる形で一列に配列しているものとすることができる。
このような構成によれば、すべての点状光源が直線上に配列されることとなり、線状の光を得ることができる。この場合、点状光源を均等かつ密に配列することにより、均一な線状の光を得ることができるため、点状光源同士の間の隙間を小さくし得る本発明の構成が一層効果を発揮する。
【００１４】
また、本発明の照明装置は、前記点状光源を収容するシャーシを備え、前記点状光源が前記シャーシの縁部に配されてなるエッジライト方式を採用しているものとすることができる。
エッジライト方式の照明装置においては、シャーシの縁部の点状光源から、例えば導光板を通じて照明光が出射される。ここで、点状光源はシャーシの縁部の狭い空間に配置されるため、大きい照明輝度を得るためには、当該点状光源が密に配置されることが望ましい。したがって、かかるエッジライト方式の照明装置に対して、本発明の構成を用いることで、点状光源を密に配置して高輝度の照明光を得ることが可能となる。
【００１５】
次に、上記課題を解決するために、本発明の表示装置は、上述した照明装置と、当該照明装置からの光を利用して表示を行う表示パネルと、を備えることを特徴とする。
このような表示装置によると、照明装置において照明輝度分布を均一化することが可能となるため、当該表示装置においても表示ムラを防止ないし抑制することが可能となる。
【００１６】
前記表示パネルとしては液晶パネルを例示することができる。このような表示装置は液晶表示装置として、種々の用途、例えばテレビやパソコンのディスプレイ等に適用でき、特に大型画面用として好適である。
【００１７】
また、本発明のテレビ受信装置は、上記表示装置を備えることを特徴とする。
このようなテレビ受信装置によると、表示ムラが防止ないし抑制された、視認性に優れたテレビ画像を提供することが可能となる。
【００１８】
（発明の効果）
本発明の照明装置によると、光源を均等かつ密に配置することで、照明輝度を大きくしつつ照明輝度分布を均一化することが可能となる。また、本発明の表示装置によると、表示ムラを防止ないし抑制することが可能となる。また、本発明のテレビ受信装置によると、表示ムラが防止ないし抑制された、視認性に優れたテレビ画像を提供することが可能となる。
【図面の簡単な説明】
【００１９】
【図１】本発明の実施形態１に係るテレビ受信装置の概略構成を示す分解斜視図
【図２】図１のテレビ受信装置が備える液晶表示装置の概略構成を示す分解斜視図
【図３】液晶表示装置の短辺方向に沿った断面構成を示す断面図
【図４】液晶表示装置の長辺方向に沿った断面構成を示す断面図
【図５】ＬＥＤ基板上のＬＥＤ光源と導電パターンとの接続構成を模式的に示す図
【図６】図５のＬＥＤ光源の駆動構成を説明する回路図
【図７】第１光源アレイと第２光源アレイとの境界の構成を拡大して示す模式図
【図８】第２光源アレイと第３光源アレイとの境界の構成を拡大して示す模式図
【図９】比較例に係る第１光源アレイと第２光源アレイとの境界の構成を拡大して示す模式図
【図１０】比較例に係る第２光源アレイと第３光源アレイとの境界の構成を拡大して示す模式図
【図１１】本発明の実施形態２に係るＬＥＤ基板上のＬＥＤ光源と導電パターンとの接続構成を模式的に示す図
【図１２】図１１のＬＥＤ光源の駆動構成を説明する回路図
【符号の説明】
【００２０】
１０…液晶表示装置（表示装置）、１２…バックライト装置（照明装置）、１４…シャーシ、３２…ＬＥＤ光源（点状光源）、３３ａ…アノード（電極）、３３ｂ…カソード（電極）、３４…導電パターン、４０…光源アレイ、４１…光源ユニット、ＴＶ…テレビ受信装置
【発明を実施するための最良の形態】
【００２１】
＜実施形態１＞
本発明に係る実施形態１を図１ないし図８によって説明する。ここでは、液晶表示装置１０を備えたテレビ受信装置ＴＶの構成について説明する。
図１は本実施形態のテレビ受信装置の概略構成を示す分解斜視図、図２は図１のテレビ受信装置が備える液晶表示装置の概略構成を示す分解斜視図、図３は図２の液晶表示装置の短辺方向に沿った断面構成を示す断面図、図４は図２の液晶表示装置の長辺方向に沿った断面構成を示す断面図である。【００２２】
本実施形態に係るテレビ受信装置ＴＶは、図１に示すように、液晶表示装置１０と、当該液晶表示装置１０を挟むようにして収容する表裏両キャビネットＣａ，Ｃｂと、スタンドＳと、電源Ｐと、チューナーＴとを備えて構成される。液晶表示装置（表示装置）１０は、全体として横長の方形をなし、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。【００２３】
次に、液晶表示装置１０を構成する液晶パネル１１及びバックライト装置１２について説明する（図２ないし図４参照）。
液晶パネル（表示パネル）１１は、一対のガラス基板が所定のギャップを隔てた状態で貼り合わされるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられている。他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが配されている（図３及び図４参照）。【００２４】
バックライト装置１２は、図２に示すように、光出射面側（液晶パネル１１側）に開口した略箱型をなすシャーシ１４と、シャーシ１４の開口を覆う形で取り付けられる光学部材１５と、シャーシ１４の長辺に沿って配され光学部材１５の長辺縁部をシャーシ１４との間で挟んで保持するフレーム１６とを備える。さらに、シャーシ１４内には、当該シャーシ１４の両長辺縁部にそれぞれ配され光を出射するＬＥＤ基板１７と、両ＬＥＤ基板１７の間に配され当該ＬＥＤ基板１７から生じる光を液晶パネル１１側へ導く導光板１８と、光学部材１５の縁部が載置されるホルダ２０とが配置されている。すなわち、本実施形態では、バックライト装置１２は、光源がシャーシ１４の縁部に配されているエッジライト方式を採用している。【００２５】
シャーシ１４は、金属製とされ、矩形状の底板１４ａと、その各辺から立ち上がり略Ｕ字状に折り返された外縁部２１（短辺外縁部２１ａ及び長辺外縁部２１ｂ）とからなる浅い略箱型に板金成形されている。シャーシ１４の長辺外縁部２１ｂの上面には、図３に示すように、固定孔１４ｃが穿設されており、例えばネジ等によりベゼル１３、フレーム１６、及びシャーシ１４等を一体化することが可能とされている。【００２６】
シャーシ１４の開口側には、拡散板１５ａ及び光学シート１５ｂからなる光学部材１５が配設されている。拡散板１５ａは、合成樹脂製の板状部材に光散乱粒子が分散配合されてなり、ＬＥＤ基板１７から出射され、導光板１８により導かれた光を拡散する機能を有する。拡散板１５ａの短辺縁部はホルダ２０上に載置されており、上下方向の拘束力を受けないものとされている（図４参照）。一方、拡散板１５ａの長辺縁部は、図３に示すように、シャーシ１４とフレーム１６とに挟持されている。【００２７】
拡散板１５ａ上に配される光学シート１５ｂは、拡散板１５ａ側から順に、拡散シート、レンズシート、反射型偏光板が積層されたものであり、ＬＥＤ基板１７から出射され、拡散板１５ａを通過した光を面状の光とする機能を有する。当該光学シート１５ｂの上面側には液晶パネル１１が設置され、当該光学シート１５ｂは拡散板１５ａと液晶パネル１１とにより挟持されている。【００２８】
ＬＥＤ基板１７は、図２に示すように、樹脂製の矩形状をなす基板部３１に、白色発光するＬＥＤ光源（点状光源）３２が一列に配列した構成となっている。かかるＬＥＤ基板１７，１７は、互いにＬＥＤ光源３２が対向する形で、シャーシ１４のそれぞれの長辺外縁部２１ｂに例えばビス留め等により取り付けられている。なお、ＬＥＤ光源３２は、例えば赤色、緑色、青色の３種類のＬＥＤチップ（図示せず）が面実装された構成としても良く、あるいは青色のＬＥＤチップと黄色蛍光体とを組み合わせた構成としてもよい。【００２９】
導光板１８は、矩形状の板状部材とされ、アクリル等の透光性の大きい（透明度の高い）樹脂により形成されている。導光板１８は、図３に示すように、互いに対向するＬＥＤ基板１７の間に、主板面を拡散板１５ａ側に向ける形で配されている。さらに、導光板１８の拡散板１５ａと対向する面とは反対側の面には、光反射シート１９が配設されている。この光反射シート１９は、導光板１８から漏れた光を反射させることで再び導光板１８の内部へ光を戻す役割を果たしている。このような導光板１８が配設されることにより、ＬＥＤ基板１７から生じた光は、導光板１８の側板面から入射して拡散板１５ａと対向する主板面から出射することで、液晶パネル１１をその背面側から照射する。【００３０】
一方、シャーシ１４の底板１４ａの裏側面（ＬＥＤ基板１７を配した側とは反対側の面）には、その中央部に、ＬＥＤ光源３２の駆動を制御する駆動回路基板２２が取り付けられている。駆動回路基板２２は、矩形状とされ、ここでは図示しない電源部ＰＳや制御回路等を有している。【００３１】
次に、ＬＥＤ基板１７の構成について、図５及び図６を用いて詳細に説明する。
図５はＬＥＤ基板上のＬＥＤ光源と導電パターンとの接続構成を模式的に示す図、図６はＬＥＤ光源の駆動構成を説明する回路図である。
ＬＥＤ基板１７に配置されるＬＥＤ光源３２は、図５に示すように、基板部３１の長辺方向に沿って、直線上に多数配列されている。各ＬＥＤ光源３２は、駆動電力の入力側の電極であるアノード３３ａと、出力側の電極であるカソード３３ｂとの、極性が異なる２つの電極を有している。隣り合うＬＥＤ光源３２，３２は、それぞれが有する２つの電極（アノード３３ａ及びカソード３３ｂ）のうち、同一の極性を有する電極（アノード３３ａとアノード３３ａ、又はカソード３３ｂとカソード３３ｂ）が対向する形で配列されている。【００３２】
また、基板部３１には、導電パターン３４がプリント形成されており、当該導電パターン３４と、ＬＥＤ光源３２のアノード３３ａ及びカソード３３ｂとが電気的に接続されている。これにより、導電パターン３４を通じて、ＬＥＤ光源３２に駆動電力を供給したり、ＬＥＤ光源３２，３２間で通電したりすることができる。【００３３】
ＬＥＤ光源３２は、配列順に従って６個ずつで１つのグループに区分されて光源アレイ４０を構成している。より詳細には、ＬＥＤ光源３２は、図５中左側から順に第１光源アレイ４０ａ、第２光源アレイ４０ｂ、第３光源アレイ４０ｃ、第４光源アレイ４０ｄ・・・を構成している。したがって、それぞれの光源アレイ４０ａ，４０ｂ，４０ｃ，４０ｄ・・・は、直線上に配列されたＬＥＤ光源３２の配列方向を一致させる形で、一列に配列していることとなる。なお、本実施形態では、１つの光源アレイ４０は６個のＬＥＤ光源３２から構成されるものとしたが、光源アレイ４０を構成するＬＥＤ光源３２の数は変更可能である。【００３４】
ＬＥＤ光源３２は、光源アレイ４０ａ，４０ｂ，４０ｃ，４０ｄ・・・ごとに、駆動回路基板２２に設けられた電源部ＰＳから駆動電力が供給される構成となっている。以下、第１光源アレイ４０ａを例にして駆動構成を説明する。第１光源アレイ４０ａにおいて、その右端（第２光源アレイ４０ｂと対向する位置）に配されたＬＥＤ光源３２のアノード３３ａが導電パターン３４（第１導電パターン３４ａ）と接続されている。この第１導電パターン３４ａには、電源部ＰＳから延びる電力供給用ハーネス３５が接続されており、この第１導電パターン３４ａを通じて当該右端のＬＥＤ光源３２に駆動電力を供給することができる。さらに、当該右端のＬＥＤ光源３２と接続された導電パターン３４を通じて、第１光源アレイ４０ａを構成する他のＬＥＤ光源３２に駆動電力が供給される。【００３５】
一方、第１光源アレイ４０ａの左端部側（基板部３１の端部側）では、２個のＬＥＤ光源３２，３２が、互いのカソード３３ｂ、３３ｂを対向させた形で配置されている。これらカソード３３ｂ、３３ｂは、同一の導電パターン３４（第２導電パターン３４ｂ）と接続されている。この第２導電パターン３４ｂには、接地用ハーネス３６が接続されており、第１光源アレイ４０ａ内を流れた駆動電力が接地用グランドＧＮＤに放電可能となっている。このように、ＬＥＤ光源３２は、光源アレイ４０ａ，４０ｂ，４０ｃ，４０ｄ・・・ごとに駆動電力の供給及び放電が行われる構成となっている。【００３６】
第１光源アレイ４０ａを構成するＬＥＤ光源３２同士は、図６に示すような接続構成となっている。すなわち、第１光源アレイ４０ａにおいて、隣り合う２個のＬＥＤ光源３２，３２が並列に接続されて光源ユニット４１を構成しており、当該光源ユニット４１同士が互いに直列に接続されている。したがって、電力供給用ハーネス３５から第１光源アレイ４０ａに入力された電力は、第１光源ユニット４１ａ→第２光源ユニット４１ｂ→第３光源ユニット４１ｃの順に供給され、接地用ハーネス３６を通じて放電されることとなる。なお、このようなＬＥＤ光源３２の接続構成は、図５に示す導電パターン３４により形成されたものであるが、導電パターン３４の形成態様は図５に示されたものに限られない。【００３７】
上記した第１光源アレイ４０ａと隣り合う第２光源アレイ４０ｂは、第１光源アレイ４０ａと鏡面対称をなす構成となっている。したがって、第２光源アレイ４０ｂは、第１光源アレイ４０ａと対向する位置に配されたＬＥＤ光源３２に駆動電力が入力され、当該駆動電力が導電パターン３４を通じて他のＬＥＤ光源３２に供給される構成となっている。なお、第１光源アレイ４０ａ及び第２光源アレイ４０ｂのうち、これらが互いに対向する位置に配されたＬＥＤ光源３２、３２は、それぞれのアノード３３ａ，３３ａが向き合う形で配置されている。【００３８】
また、第２光源アレイ４０ｂと隣り合う第３光源アレイ４０ｃは、第２光源アレイ４０ｂと鏡面対称をなす構成となっている。さらに、第４光源アレイ４０ｄは、第３光源アレイ４０ｃと鏡面対称をなす構成となっている。つまり、第３光源アレイ４０ｃ及び第４光源アレイ４０ｄの構成は、第１光源アレイ４０ａ及び第２光源アレイ４０ｂの構成と同一となっている。言い換えれば、ＬＥＤ基板１７は、第１光源アレイ４０ａと第２光源アレイ４０ｂとの接続態様が繰り返される構成となっている。【００３９】
次に、図７ないし図１０を用いて、本実施形態の作用・効果について説明する。
図７は第１光源アレイと第２光源アレイとの境界の構成を拡大して示す模式図、図８は第２光源アレイと第３光源アレイとの境界の構成を拡大して示す模式図である。また、図９及び図１０は比較例としてＬＥＤ光源同士が直列に接続された構成を示している。【００４０】
本実施形態に係るバックライト装置１２では、図７に示すように、隣り合う第１光源アレイ４０ａと第２光源アレイ４０ｂとは、互いに対向する位置において、第１光源アレイ４０ａに属するＬＥＤ光源３２と、第２光源アレイ４０ｂに属するＬＥＤ光源３２とが、それぞれのアノード３３ａ，３３ａを対向させる形で配置されている。これらアノード３３ａ，３３ａは、第１光源アレイ４０ａと第２光源アレイ４０ｂとの間に配された第１導電パターン３４ａと接続されている。したがって、当該第１導電パターン３４ａに１本の電力供給用ハーネス３５を接続することにより、第１光源アレイ４０ａと第２光源アレイ４０ｂとの両方に駆動電力を供給することが可能となる。【００４１】
ここで、図９に示す比較例に係る第１光源アレイ９０ａ及び第２光源アレイ９０ｂについて考える。比較例に係る第１光源アレイ９０ａ及び第２光源アレイ９０ｂは、全てのＬＥＤ光源９２が直列に接続されてなり、互いに対向する位置に異なる極性の電極（アノード９３ａとカソード９３ｂ）が配された構成である。この場合、第１光源アレイ９０ａと第２光源アレイ９０ｂとの間に、両光源アレイ９０ａ，９０ｂとそれぞれ接続される導電パターン９４ａ，９４ｂを形成しなければならない。そして、当該導電パターン９４ａ，９４ｂにそれぞれ別個の電力供給用ハーネス９５，９５を接続する必要が生じる。このように２本の電力供給用ハーネス９５，９５を並列する場合には、安全性の観点から、電力供給用ハーネス９５，９５同士の間に所定の間隔を空けなければならない。そのため、第１光源アレイ９０ａと第２光源アレイ９０ｂとの間に隙間を設ける必要があり、両光源アレイ９０ａ，９０ｂのそれぞれ対向する位置に配されるＬＥＤ光源９２，９２同士の間の距離Ｌ３は、他の位置に配されるＬＥＤ光源９２，９２同士の間の距離Ｌ４よりも大きいものとなってしまう。【００４２】
しかしながら、本実施形態によれば、１本の電力供給用ハーネス３５で第１導電パターン３４ａを通じて第１光源アレイ４０ａ及び第２光源アレイ４０ｂに駆動電力を供給することができるため、図７に示すように、両光源アレイ４０ａ，４０ｂ間に隙間を設ける必要がない。したがって、両光源アレイ４０ａ，４０ｂのそれぞれ対向する位置に配されるＬＥＤ光源３２，３２の距離Ｌ１を、他の位置に配されるＬＥＤ光源３２，３２同士の間の距離Ｌ２と同一にすることが可能となる。これにより、ＬＥＤ光源３２を均等かつ密に配置することが可能となるため、当該バックライト装置１２の光量を大きくし、さらには照明輝度分布を均一にすることが可能となる。【００４３】
また、本実施形態では、図８に示すように、隣り合う第１光源アレイ４０ａ及び第２光源アレイ４０ｂのうち、互いに対向しない側（ここでは、第２光源アレイ４０ｂと第３光源アレイ４０ｃとが対向する側について示す）に配される光源ユニット４１（図８に符号を付すべき）において、２つのＬＥＤ光源３２，３２がカソード３３ｂ、３３ｂを対向させた形で配置されている。そして、これらカソード３３ｂ、３３ｂが第２導電パターン３４ｂに接続され、当該第２導電パターン３４ｂに接地用ハーネス３６が接続されている。したがって、接地用ハーネス３６は、第２光源アレイ４０ｂ（及び第３光源アレイ４０ｃ）の最も外側に配されるのではなく、１つのＬＥＤ光源３２を介した内側に配されることとなる。【００４４】
ここで、図１０に示す比較例に係る第２光源アレイ９０ｂ及び第３光源アレイ９０ｃについて考える。比較例に係る第２光源アレイ９０ｂ及び第３光源アレイ９０ｃは、２つのＬＥＤ光源９２，９２が互いに異なる極性の電極（カソード９３ｂとアノード９３ａ）を対向させた形で配置された構成である。この場合、ＬＥＤ光源９２，９２間の導電パターン９４ｃ、９４ｄには、異なる極性の電極が接続されているため、接地用ハーネス９６を接続することができない。そこで、両光源アレイ９０ｂ，９０ｃは、互いに対向する位置に導電パターン９４ｅ，９４ｆをそれぞれ設け、当該導電パターン９４ｅ，９４ｆに接地用ハーネス９６，９６が接続された構成となる。つまり、接地用ハーネス９６，９６は、第２光源アレイ９０ｂ及び第３光源アレイ９０ｃの最も外側に配されている。したがって、接地用ハーネス９６，９６が近接しないように、第２光源アレイ９０ｂと第３光源アレイ９０ｃとの間に隙間を設ける必要がある。そのため、両光源アレイ９０ｂ，９０ｃの対向する位置に配されるＬＥＤ光源９２，９２同士の間の距離Ｌ５は、他の位置に配されるＬＥＤ光源９２，９２同士の間の距離Ｌ４よりも大きいものとなってしまう。【００４５】
しかしながら、本実施形態によれば、図８に示すように、接地用ハーネス３６は、第２光源アレイ４０ｂ及び第３光源アレイ４０ｃの最外部に配されるのではなく、１つのＬＥＤ光源３２を介した内側に配される。このため、第２光源アレイ４０ｂ及び第３光源アレイ４０ｃと接続された接地用ハーネス３６，３６の間には所定の間隔が形成されることとなる。したがって、第２光源アレイ４０ｂと第３光源アレイ４０ｃとの間に改めて隙間を設ける必要がなく、両光源アレイ４０ｂ，４０ｃの対向する位置に配されるＬＥＤ光源３２，３２同士の間の距離Ｌ１を、他の位置に配されるＬＥＤ光源３２，３２同士の間の距離Ｌ２と同一にすることが可能となる。【００４６】
また、本実施形態では、光源アレイ４０は、２個のＬＥＤ光源３２，３２が並列に接続された光源ユニット４１を有し、当該光源ユニット４１同士が直列に接続された構成となっている。
このような構成によれば、光源ユニット４１においては、並列に接続された各ＬＥＤ光源３２間の発光量のばらつきを考慮する必要がない。したがって、所定数のＬＥＤ光源９２を直列に接続した場合とほぼ同一の発光量のばらつきで、より多くのＬＥＤ光源３２を接続することができ、ＬＥＤ光源３２を密に配置することが可能となる。また、光源ユニット４１同士を直列に接続することにより、当該バックライト装置１２の照明輝度の低下を抑制することが可能となる。【００４７】
また、本実施形態では、光源アレイ４０は、直線上に配列された所定数のＬＥＤ光源３２からなり、隣り合う光源アレイ４０ａ，４０ｂは、ＬＥＤ光源３２の配列方向を一致させる形で一列に配列されている。
このような構成によれば、すべてのＬＥＤ光源３２が直線上に配列されることとなり、線状の光を得ることができる。この場合、本実施形態に係るＬＥＤ光源３２の接続構成を採用することにより、ＬＥＤ光源３２を均等かつ密に配列することができ、均一な線状の光を得ることが可能となる。【００４８】
特に、本実施形態に係るバックライト装置１２は、ＬＥＤ光源３２がシャーシ１４の縁部に配されてなるエッジライト方式を採用した構成となっている。
エッジライト方式のバックライト装置１２においては、ＬＥＤ光源３２はシャーシ１４の縁部の狭い空間に配置されるため、高い照明輝度を得るためには、当該ＬＥＤ光源３２が密に配置されることが望ましい。したがって、かかるエッジライト方式のバックライト装置１２に対して、本実施形態に係るＬＥＤ光源３２の接続構成を採用することにより、ＬＥＤ光源３２を密に配置して高輝度の照明光を得ることが可能となる。【００４９】
＜実施形態２＞
次に、本発明の実施形態２を図１１及び図１２によって説明する。前記実施形態１との相違は、ＬＥＤ光源の接続構成を変更したところにあり、その他は前記実施形態と同様である。前記実施形態と同一部分には、同一符号を付して重複する説明を省略する。
図１１は本実施形態におけるＬＥＤ光源と導電パターンとの接続構成を模式的に示す図、図１２はＬＥＤ光源の駆動構成を説明する回路図である。【００５０】
図１１に示すように、ＬＥＤ光源５２は、配列順に従って６個ずつで第１光源アレイ５０ａ、第２光源アレイ５０ｂ、第３光源アレイ５０ｃ、第４光源アレイ５０ｄ・・・を構成している。以下、第１光源アレイ５０ａを例にしてＬＥＤ光源５２の駆動構成を説明する。【００５１】
第１光源アレイ５０ａにおいて、その左端部側（基板部３１の端部側）では、２個のＬＥＤ光源５２，５２が、互いのアノード５３ａ，５３ａを対向させた形で配置されている。これらアノード５３ａ，５３ａは、その間に形成された導電パターン６４（第１導電パターン６４ａ）と接続されている。この第１導電パターン６４ａには、電源部ＰＳから延びる電力供給用ハーネス３５が接続されており、この第１導電パターン６４ａを通じて当該左端の２つのＬＥＤ光源５２，５２に駆動電力を供給することができる。【００５２】
一方、第１光源アレイ５０ａの右端（第２光源アレイ５０ｂと対向する位置）に配されたＬＥＤ光源５２のカソード５３ｂが導電パターン６４（第２導電パターン６４ｂ）と接続されている。この第２導電パターン６４ｂには、接地用ハーネス３６が接続されており、第１光源アレイ５０ａ内を流れた駆動電力が接地用グランドＧＮＤに放電可能となっている。【００５３】
第１光源アレイ５０ａを構成するＬＥＤ光源５２同士は、図１２に示すように、隣り合う２個のＬＥＤ光源５２，５２が並列に接続されて光源ユニット５１を構成している。さらに、当該光源ユニット５１同士が互いに直列に接続されている。したがって、電力供給用ハーネス３５から第１光源アレイ５０ａに入力された電力は、第１光源ユニット５１ａ→第２光源ユニット５１ｂ→第３光源ユニット５１ｃの順に供給され、接地用ハーネス３６を通じて放電されることとなる。【００５４】
上記した第１光源アレイ５０ａと隣り合う第２光源アレイ５０ｂは、第１光源アレイ５０ａと鏡面対称をなす構成となっている。そのため、第１光源アレイ５０ａ及び第２光源アレイ５０ｂのうち、これらが互いに対向する位置に配されたＬＥＤ光源５２、５２は、それぞれのカソード５３ｂ，５３ｂが向き合う形で配置されている。また、第２光源アレイ５０ｂと隣り合う第３光源アレイ５０ｃは、第２光源アレイ５０ｂと鏡面対称をなす構成（つまり第１光源アレイ５０ａと同一の構成）となっている。【００５５】
以上、本実施形態では、第１アレイ５０ａ及び第２アレイ５０ｂは、互いに対向する位置にカソード５３ｂ，５３ｂが配された構成であり、これらカソード５３ｂ，５３ｂが第２導電パターン６４ｂに接続されている。したがって、１本の接地用ハーネス３６により第１アレイ５０ａ及び第２アレイ５０ｂからの放電が可能となっている。これにより、両光源アレイ５０ａ，５０ｂ間に隙間を設ける必要がなく、ＬＥＤ光源５２を均等に配置することが可能となる。【００５６】
また、本実施形態では、隣り合う第１光源アレイ５０ａ及び第２光源アレイ５０ｂのうち、互いに対向しない側（ここでは、第２光源アレイ５０ｂと第３光源アレイ５０ｃとが対向する側について示す）に配される光源ユニット５１において、２つのＬＥＤ光源５２，５２がアノード５３ａ，５３ａを対向させた形で配置されている。そして、これらアノード５３ａ，５３ａが第１導電パターン６４ａに接続され、当該第１導電パターン６４ｂに電力供給用ハーネス３５が接続されている。したがって、電力供給用ハーネス３５は、第２光源アレイ５０ｂ（及び第３光源アレイ５０ｃ）の最も外側に配されるのではなく、１つのＬＥＤ光源５２を介した内側に配されることとなる。その結果、第２光源アレイ５０ｂ及び第３光源アレイ５０ｃと接続された電力供給用ハーネス３５，３５の間には所定の間隔が形成されることとなるため、改めて両光源アレイ５０ｂ，５０ｃとの間に隙間を設ける必要がなく、ＬＥＤ光源５２を均等に配置することが可能となる。【００５７】
＜他の実施形態＞
以上、本発明の実施形態について示したが、本発明は上記記述及び図面によって説明した実施形態に限定されるものではなく、例えば次のような実施形態も本発明の技術的範囲に含まれる。
（１）上記実施形態では、２個のＬＥＤ光源が並列に接続されて光源ユニットを構成するものとしたが、３個以上のＬＥＤ光源が並列に接続される構成としてもよい。
（２）上記実施形態では、１つの光源アレイを構成するＬＥＤ光源が直線上に配列され、さらに光源アレイ同士も一列に配列されることで、ＬＥＤ光源が全体として直線上に配列された構成を例示したが、例えばＬＥＤ光源を互い違いの位置に配置した構成や複数列に配列した構成としてもよい。
（３）上記実施形態では、白色発光する面実装型のＬＥＤ光源を例示したが、ＬＥＤ光源の態様はこれに限られない。例えば赤色、緑色、青色をそれぞれ単色発光する３つのＬＥＤ素子が樹脂固定されたものを用いてもよい。
【図１】
2010013544.tif 000003
【図２】
2010013544.tif 000004
【図３】
2010013544.tif 000005
【図４】
2010013544.tif 000006
【図５】
2010013544.tif 000007
【図６】
2010013544.tif 000008
【図７】
2010013544.tif 000009
【図８】
2010013544.tif 000010
【図９】
2010013544.tif 000011
【図１０】
2010013544.tif 000012
【図１１】
2010013544.tif 000013
【図１２】
2010013544.tif 000014
【国際調査報告】
2010013544.tif 000015
2010013544.tif 000016
2010013544.tif 000017
2010013544.tif 000018